(57)【特許請求の範囲】
【請求項１】
撮影光学系と、ファインダー光学系と、前記撮影光学系と連動する距離計光学系とを備え、
ファインダーの視野内において、ファインダー像に対して距離計像が一致するように前記距離計光学系を調節することによって、前記撮影光学系のピント合わせを行う光学機器において、
前記ファインダーの視野内には、被写体の被写界深度内に入り得る範囲が、前記ファインダー像を基準として、目盛り表示され、
前記目盛り表示は、それぞれの目盛りに振られた数字で示されたＦナンバーを含むことを特徴とする光学機器。
【請求項２】
前記目盛り表示は、設定されている被写界深度に応じて変更されることを特徴とする請求項１に記載の光学機器。
【請求項３】
前記ファインダー光学系あるいは前記距離計光学系のいずれかに、前記ファインダー内の視野枠を決定するフレームマスクが設けられ、前記目盛り表示は、前記フレームマスクに形成されることを特徴とする請求項１または２に記載の光学機器。
【発明の詳細な説明】
【０００１】
【発明の属する技術分野】
本発明は、ファインダーの視野内において、ファインダー像に対して距離計像が一致するように距離計光学系を調節することによって、撮影光学系のピント合わせを行う光学機器に関するものである。
【０００２】
【従来の技術】
カメラ等の光学機器において、目的とする被写体のピントが合っているかどうか知るため予め被写界深度を確認したい場合、従来は、レンズ鏡筒に距離環及び深度目盛りを設けておき、これらを見ながら被写体深度の確認を行っていた。また、距離計連動式のファインダーを備えた光学機器では、ファインダーの視野の中に距離目盛りと深度目盛りを表示させ、ファインダー内で確認するものもあった。
また、一眼レフカメラの場合、ファインダーを覗きながらプレビューボタンを操作して、ピントが合っている範囲を確認するものもあった。
【０００３】
【発明が解決しようとする課題】
しかし、上記の距離環と深度目盛り、あるいはファインダーの中に表示された距離目盛りと深度目盛りにより被写界深度を確認する場合、撮影時における光学機器と被写体との距離が分かっていなければ正確な確認はできなかった。
また、前記プレビューボタンを用いて被写界深度を確認する場合に、ファインダーの視野内において、撮影したい範囲が被写界深度の範囲からはずれている場合にどのような対処をすべきかといったことは分からなかった。
【０００４】
上記事情に鑑み、本発明の課題は、簡単にかつ正確に被写体が被写界深度内にあるかどうかを確認でき、また、撮影したい範囲が被写界深度の範囲からはずれている場合でも容易に対処することができる光学機器を提供することである。
【０００５】
【課題を解決するための手段】
以下、括弧書きにより実施の形態において対応する構成を一例として示す。
上記課題を解決するため、請求項１記載の発明は、撮影光学系と、ファインダー光学系と、前記撮影光学系と連動する距離計光学系とを備え、ファインダーの視野内において、ファインダー像（５）に対して距離計像（６）が一致するように前記距離計光学系を調節することによって、前記撮影光学系のピント合わせを行う光学機器において、前記ファインダーの視野内には、被写体の被写界深度内に入り得る範囲が、前記ファインダー像を基準として、目盛り表示（２ａ，２ａ，２ｂ，２ｂ，２ｂ’，２ｂ’，２ｃ，２ｃ，２ｃ’，２ｃ’）され、前記目盛り表示は、それぞれの目盛りに振られた数字で示されたＦナンバーを含むことを特徴とする。
【０００６】
以上のように、請求項１記載の発明によれば、前記ファインダーの視野内には、被写体の被写界深度に入り得る範囲が、前記ファインダー像を基準として、目盛り表示されているため、撮影光学系に撮影される被写体が被写界深度内にあるかどうかファインダーを覗いただけで、簡単にかつ正確に確認できる。
すなわち、奥行きのある被写体を撮影する場合、まず被写体の中心付近にピントを合わせ、次いでピントを合わせた被写体の前後にある被写体のファインダー像に対する距離計像のずれ幅と目盛り表示とを比較することにより被写界深度内にあるか否かの確認ができる。
また、被写界深度の範囲が示されているということは焦点深度、つまり許容されるピントのずれが示されているということであり、厳密に距離計像をファインダー像に一致させる必要がなく、短時間でピント合わせを行うことができる。
また、目盛り表示を複数の被写界深度に対応して複数表示させるようにすれば、被写体が撮影時に設定した被写界深度の範囲からはずれていても、被写界深度をどのように設定し直せばよいかファインダーを覗きながら判断できる。従って、撮影したい範囲が被写界深度の範囲からはずれていた場合でも容易に対処することができる。
【０００７】
ここで、請求項１において、目盛り表示の方向は、前記ファインダー像と前記距離計像のずれ方向と同一の方向でよい。
また、目盛り表示は、複数の被写界深度に応じて複数種類の目盛りを表示するか、あるいは請求項２に記載の発明のように、設定されている被写界深度に応じて変更されて表示するようにしてもよい。
【０００８】
すなわち、請求項２記載の発明は、請求項１に記載の光学機器において、前記目盛り表示は、設定されている被写界深度に応じて変更されることを特徴とする。
【０００９】
請求項２記載の発明によれば、前記目盛り表示は、設定されている被写界深度に応じて変更されるため、撮影者は、被写界深度がどのような値に設定されているのかを意識することなく、被写体が被写界深度内にあるかどうかファインダーを覗いただけで簡単にかつ正確に確認できる。
【００１０】
請求項１または２において、ファインダーの視野内において被写体の被写界深度に入り得る範囲を目盛り表示する方法としては、請求項３のようにフレームマスクを利用すればよい。
すなわち、請求項３に記載の発明は、
請求項１又は２に記載の光学機器において、前記ファインダー光学系あるいは前記距離計光学系のいずれかに、前記ファインダー内の視野枠を決定するフレームマスクが設けられ、
前記目盛り表示は、前記フレームマスクに形成されることを特徴とする。
請求項３記載の発明によれば、目盛り表示をフレームマスクに形成するため、目盛り表示をファインダーの視野内に容易に表示することができる。
より具体的には、フレームマスクに上記目盛りの形状に相似する形状を形成する。その場合、フレームマスクを液晶パネル或いは目盛りを機械的に表示するパネルで作製すれば目盛り表示を電気的或いは機械的に変更できるようになり、請求項２の発明を好適に実現できる。
【００１１】
【発明の実施の形態】
〈第１の実施の形態〉
以下に、本発明に係る第１の実施の形態を図１に基づいて説明する。図１には、本実施の形態の光学機器に係るカメラのファインダー中に写される像を示した。
本実施の形態の光学機器であるカメラは、撮影光学系と、ファインダー光学系と、前記撮影光学系と連動する距離計光学系とを備えており、ファインダーの視野内において、ファインダー像に対して距離計像が一致するように前記距離計光学系を調節することによって前記撮影光学系のピント合わせを行う距離計連動式のカメラとなっている。また、このカメラは焦点距離が可変であってもよいが、以下の説明では一定とする。撮影光学系、ファインダー光学系および距離計光学系については、周知の技術であるため、図示および詳細な説明は省略する。
【００１２】
前記距離計光学系には、ファインダー内の視野枠を決定するフレームマスクが設けられている（以下、距離計マスクとする）。
そして、この距離計マスクには予めに形成された所定の形状の枠や目盛り等が形成され、その枠や目盛り等がファインダー内に写されるようになっている。
【００１３】
図１に示すように、ファインダー内には視野枠１と、目盛り２ａ，２ａ，２ｂ，２ｂ，２ｂ’，２ｂ’，２ｃ，２ｃ，２ｃ’，２ｃ’と、目盛り２ｂ，２ｂ，２ｂ’，２ｂ’及び目盛り２ｃ，２ｃ，２ｃ’，２ｃ’に振ってある数字（４及び８）が表示されている。なお、図１中、５および６は、それぞれ、ファインダー内に映し出される被写体のファインダー像と距離計像を示したもので、このカメラでは、ファインダー像に対する距離計像のずれは、図１のようにファインダー像に対して左右方向に示される。
【００１４】
目盛り２ａ，２ａ，２ｂ，２ｂ，２ｂ’，２ｂ’，２ｃ，２ｃ，２ｃ’，２ｃ’及びこれらの目盛りに振られた数字は、被写体の被写界深度に入りうる範囲を示すためのものである。
視野枠１の中央に目盛り２ａ，２ａが表示されている。目盛り２ａ，２ａは基準の目盛りであり、被写界深度を確認する場合、まず、被写体のファインダー像を視野の中心即ち目盛り２ａ，２ａに合わせることになる。
【００１５】
目盛り２ａ，２ａから左右方向に所定の幅離れた位置に、目盛り２ｂ，２ｂ、目盛り２ｂ’，２ｂ’が表示されている。同様に、目盛り２ｂ，２ｂ，２ｂ’，２ｂ’から更に外側に所定の幅離れた位置に、目盛り２ｃ，２ｃ、目盛り２ｃ’，２ｃ’が表示されている。
そして、目盛り２ｂ，２ｂ，２ｂ’，２ｂ’の上下には４という数字が振られており、目盛り２ｃ，２ｃ，２ｃ’，２ｃ’の上下には８という数字が振られている。
目盛り２ｂ，２ｂ，２ｂ’，２ｂ’と目盛り２ｃ，２ｃ，２ｃ’，２ｃ’は、それぞれの目盛りに振られた数字で示されたＦナンバー（例えば、４ならＦナンバー４である。）に設定した場合に、目盛り２ａ，２ａを基準として被写体の被写界深度に入りうる範囲を示している。
【００１６】
被写体の被写界深度に入り得る範囲は、焦点距離が一定である場合、撮影光学系の絞り（Ｆナンバー）に依存するため、Ｆナンバーを設定すれば撮影時の被写界深度が設定されることとなる。従って、Ｆナンバーに対応する上記範囲を目盛り表示することとしたものである。
【００１７】
例えば、ファインダー像を目盛り２ａ，２ａに合わせた後に距離計像を見た場合に、該距離計像がカメラに設定したＦナンバーで示される目盛りよりも内側にあれば被写体は設定した被写体深度の範囲に入っていると判断できる。
【００１８】
次に、上記ファインダー内におけるピント合わせについて説明する。
図１に示すように、被写体のファインダー像５を目盛り２ａ，２ａに合わせたときの距離計像６が、目盛り２ｂ，２ｂ’よりも外側にあり、かつ目盛り２ｃ，２ｃ’よりも内側にある場合、この被写体はＦナンバー４に対応する被写界深度には入ってはおらず、この被写体を被写界深度に入れたいのであればＦナンバーを８に設定する必要があるということが分かる。
【００１９】
以上のように、本発明の第１の実施の形態によれば、ファインダーの視野内には、被写体の被写界深度に入り得る範囲を、目盛り２ａ，２ａを基準として、ファインダー像５と距離計像６のずれ方向と同一の方向に目盛り２ｂ，２ｂ，２ｂ’，２ｂ’，２ｃ，２ｃ，２ｃ’，２ｃ’により表示したため、距離計像すなわち撮影光学系に撮影される被写体が被写界深度内にあるかどうかファインダーを覗いただけで、簡単にかつ正確に確認できる。
また、被写界深度の範囲が示されているということは焦点深度、つまり許容されるピントのずれが示されているということであり、厳密に距離計像をファインダー像に一致させる必要がなく、短時間でピント合わせを行うことができる。
また、ファインダーの視野内に複数のＦナンバーに対応する複数の目盛りを表示したため、被写界深度をどのように設定し直せばよいかファインダーを覗きながら判断できる。従って、撮影したい範囲が撮影時のＦナンバーに対応する被写界深度からはずれていた場合でも容易に対処することができる。
【００２０】
〈第２の実施の形態〉
以下に、本発明に係る光学機器の第２の実施の形態について図２から図５に基づいて説明する。
図２は本実施の形態の光学機器に係るカメラ２０のファインダーの視野内に表示される像を示す図であり、図３はカメラ２０を用いて奥行きのある被写体を撮影する際のカメラ２０及び被写体１０，１１，１２の位置を示し、図４はカメラ２０のファインダーの視野内に映し出される像を示す図であり、図５はカメラ２０の構成について示した概略図である。
この第２の実施の形態では、距離計マスクを電気的に制御される液晶パネルで作製した他は、第１の実施の形態と同様である。よって、同様の構成要素については同一の符号を付し、その説明を省略する。
【００２１】
カメラ２０では、図５に示すように、撮影時に設定された撮影レンズの絞りに関する情報（ここではＦナンバー）を電気的に認識し、それに応じて、Ｆナンバーの数字と、そのＦナンバーに対応する被写界深度の範囲を示す目盛りを液晶表示するようになっている。そして、この液晶表示がファインダー内に写されるようになっている。
【００２２】
図２に示すように、ファインダーの視野内には基準の目盛り２ａ，２ａと、設定したＦナンバーと（図２の場合はＦナンバーが４となっている）、このＦナンバーに対応する目盛り２ｂ，２ｂ，２ｂ’，２ｂ’が表示されている。
【００２３】
Ｆナンバーを８に変更すれば、目盛り２ｂ、２ｂ、２ｂ’、２ｂ’の表示及び目盛りに振られている数字「４」が消えて、代わりに図２の点線で示した数字「８」と目盛り２ｃ、２ｃ、２ｃ’２ｃ’が表示される。
【００２４】
次に、このカメラ２０を用いて奥行きのある被写体を撮影する場合を図３，図４に基づいて説明する。
まず、カメラのＦナンバーを４に設定する。次に、ファインダーで被写体１０を観察し、ファインダー内においてファインダー像１０ａ及び距離計像１０ｂとが中心付近で重なるように距離計光学系を調節する（図４（ａ）の状態）。
次いで被写体１１のファインダー像１１ａを目盛り２ａ，２ａに合わせたときに距離計像１１ｂが目盛り２ｂ，２ｂ’の内側にあることから、被写体１１が被写界深度の範囲に入っていることが分かる（図４（ｂ）の状態）。
同様にして被写体１２のファインダー像１２ａを目盛り２ａに合わせたときに距離計像１２ｂが目盛り２ｂ，２ｂ’の内側にあることから、被写体１２が被写界深度の範囲に入っていることが分かる（図４（ｃ）の状態）。
したがって、再び被写体１０のファインダー像１０ａを中心に配した状態に戻して撮影すれば、被写体１０，被写体１１及び被写体１２がピントのあった状態で撮影できる。
【００２５】
以上のように、第２の実施の形態によれば、ファインダーの視野内において、被写体の被写界深度に入り得る範囲を、目盛り２ａ，２ａを基準としてファインダー像５と距離計像６のずれ方向と同一の方向に目盛り表示し、該目盛り表示はカメラに設定された被写界深度に応じて変更されるため、撮影者は、被写界深度がどのような値に設定されているのかを意識することなく、被写体が被写界深度内にあるかどうかファインダーを覗いただけで簡単にかつ正確に確認できる。
【００２６】
なお、以上の実施の形態においては、距離計マスクを液晶パネルで作製し、撮影レンズからの情報を電気的に認識する構成としたが、本発明はこれに限定されるものではなく、撮影レンズからの情報を機械的に認識する構成としても良い。
この場合は、例えば機械式の目盛り表示機器を備えたパネルで距離計マスクを作製し、該目盛り表示機器の動作と、撮影レンズの動作とを連動させる構成とすればよい。
【００２７】
また、目盛り２ｂ，２ｂ，２ｂ’，２ｂ’，２ｃ，２ｃ，２ｃ’，２ｃ’を表示する代わりに、設定した被写界深度に応じて視野枠の大きさを変えるような構成としてもよい。
【００２８】
なお、以上の第１及び第２の実施の形態は、距離計連動式のカメラであったが、本発明はこれに限定されるものではなく、他の光学機器例えばビデオカメラ等にであってもよい。そして、フレームマスクを距離計光学系に設ける構成としたが、フレームマスクはファインダー光学系に設けてもよい。
また、図１及び図２ではＦナンバー４及び８に対応する範囲のみ表示したが、他のＦナンバーに対応する範囲について表示してもよい。
なお、目盛り２ｂ，２ｂ，２ｂ’，２ｂ’と目盛り２ｃ，２ｃ，２ｃ’，２ｃ’はＦナンバーに対応させたが、被写界深度に関連するその他の情報に対応させてもよい。例えば、焦点距離の変動する光学機器であれば、焦点距離に対応した目盛り表示としてもよい。この場合も、同様の作用、効果が得られる。
また、ファインダーの視野内に表示される目盛り等の形状等も任意であり、その他、具体的な細部構造等についても適宜に変更可能であることは勿論である。
【００２９】
【発明の効果】
以上のように、請求項１記載の発明によれば、前記ファインダーの視野内には、被写体の被写界深度に入り得る範囲が、前記ファインダー像を基準として、目盛り表示されているため、撮影光学系に撮影される被写体が被写界深度内にあるかどうかファインダーを覗いただけで、簡単にかつ正確に確認できる。
また、目盛り表示を複数の被写界深度に対応して複数表示させるようにすれば、被写体が撮影時に設定した被写界深度の範囲からはずれていても、被写界深度をどのように設定し直せばよいかファインダーを覗きながら判断できる。従って、撮影したい範囲が被写界深度の範囲からはずれていた場合でも容易に対処することができる。
【００３０】
請求項２記載の発明によれば、請求項１に記載の発明と同様の効果に加え、前記目盛り表示は、設定されている被写界深度に応じて変更されるため、撮影者は、被写界深度がどのような値に設定されているのかを意識することなく、被写界深度を視覚的に確認できる。
【００３１】
請求項３記載の発明によれば、請求項１又は請求項２に記載の発明と同様の効果に加え、目盛り表示をフレームマスクに形成するため、目盛り表示をファインダーの視野内に容易に表示することができる。
【図面の簡単な説明】
【図１】第１の実施の形態に用いられるカメラのファインダーの視野内に表示される像を示した図である。
【図２】第２の実施の形態に用いられるカメラのファインダーの視野内に表示される像を示した図である。
【図３】同、カメラを用いて奥行きのある被写体を撮影する際のカメラ及び被写体の位置を示した図である。
【図４】同、カメラのファインダーの視野内に映し出される像を示す図である。
【図５】同、カメラの構成について示した概略図である。
【符号の説明】
１                            枠
２ａ，２ａ                    目盛り
２ｂ，２ｂ，２ｂ’，２ｂ’    目盛り
２ｃ，２ｃ，２ｃ’，２ｃ’    目盛り
５                            ファインダー像
６                            距離計像
１０，１１，１２              被写体
１０ａ，１１ａ，１２ａ        ファインダー像
１０ｂ，１１ｂ，１２ｂ        距離計像
２０                          カメラ
【図１】
0004335359.tif 000002
【図２】
0004335359.tif 000003
【図３】
0004335359.tif 000004
【図４】
0004335359.tif 000005
【図５】
0004335359.tif 000006